(57)【特許請求の範囲】
【請求項１】
ガイドレール（１０）に沿って誘導方向（１６）に家具部品（４）を誘導するための、特にスライドドア建具のための走行部（１４）であって、
前記誘導されるべき家具部品（４）に堅固に接続することができるホルダ（７８）と、
誘導位置と取り付け位置との間で前記誘導方向（１６）に対してある角度で前記ホルダ（７８）上に変位可能に保持され、前記ガイドレール（１０）上の前記誘導位置において誘導され、前記取り付け位置において前記ガイドレール（１０）から取り外すことができるロックバー（８０）と、
復元要素（１０２）を介して前記ロックバー（８０）が前記誘導位置において前記ホルダ（７８）に対して予め張力を加えられる前記復元要素（１０２）と
を備える走行部（１４）において、
前記ロックバー（８０）の変位方向（２２）において前記ロックバー（８０）を誘導するためにストリップ状の前記ホルダ（７８）が設けられるとともに、
前記誘導位置における前記ホルダ（７８）に対する前記ロックバー（８０）の相対運動を阻止するブロック要素（８４）が設けられ、
前記ブロック要素（８４）が、
前記誘導位置における前記相対運動を阻止する位置と、前記相対運動の阻止状態を開放する位置とに回動可能な回転ハンドル（９６）を備え、
前記ブロック要素によって、前記誘導位置において前記ロックバー（８０）が前記ホルダ（７８）に対してずれることを阻止することができることを特徴とする
走行部（１４）。
【請求項２】
前記ブロック要素（８４）は、前記ロックバー（８０）上の第１のポジティブロック要素（１００）と、前記ホルダ（７８）上の、前記第１のポジティブロック要素（１００）に対して相補的に配置されている第２のポジティブロック要素（９８）とを備え、これらのポジティブロック要素は、互いに係合し合うポジティブロック嵌合によって前記ロックバー（８０）がロック位置（１２４）に対してずれるのを阻止するように形成されていることを特徴とする
請求項１に記載の走行部（１４）。
【請求項３】
前記第１のポジティブロック要素および／または前記第２のポジティブロック要素（９８、１００）は、前記ロックバー（８０）の前記変位方向（２２）に対して角度を付けて可動なように取り付けられていることを特徴とする
請求項２に記載の走行部（１４）。
【請求項４】
前記第１のポジティブロック要素（１００）および前記第２のポジティブロック要素（９８）は、前記誘導方向（１６）、および前記ロック位置（１２４）の前記変位方向（２２）の両方において作用する嵌合形状に形成されたことを特徴とする
請求項２または３に記載の走行部（１４）。
【請求項５】
前記第１のポジティブロック要素および前記第２のポジティブロック要素（９８、１００）は、前記ロック位置（１２４）の前記方向（２２）における前記ロックバー（８０）の変位の間に互いにラッチ留めするように、ラッチ要素として構成されることを特徴とする
請求項２〜４のいずれか一項に記載の走行部（１４）。
【請求項６】
前記第１のポジティブロック要素（１００）および前記第２のポジティブロック要素（９８）の歯は鋸歯状に形成されることを特徴とする
請求項２〜５のいずれか一項に記載の走行部（１４）。
【請求項７】
前記ロックバー（８０）が前記ロック位置（１２４）の前記方向（２２）において変位している間に、前記ブロック要素（８４）のポジティブロック嵌合が達成される閉位置において制限停止部として前記ブロック要素（８４）に設けられた前記回転ハンドル（９６）上に配置することができる突起（１０１）が、前記ロックバー（８０）上に形成されることを特徴とする
請求項２〜６のいずれか一項に記載の走行部（１４）。
【請求項８】
誘導方向（１６）において第１のガイドレール（８）と第２のガイドレール（１０）との間で誘導される、特にスライドドアのための家具用建具（４）であって、
基体（２１）であるドア要素と、
前記第１のガイドレール（８）上で前記基体（２１）を誘導するために前記基体（２１）に接続されている少なくとも１つの第１の走行部（１２）と、
前記第２のガイドレール（１０）上で前記基体（２１）を誘導するために、前記第１の走行部（１２）から離間されて前記基体（２１）に固定されている請求項１〜７のいずれか一項に記載の少なくとも１つの第２の走行部（１４）とを備える
家具用建具（４）。
【請求項９】
前記第１の走行部（１２）は、前記基体（２１）に堅固に接続されている取り付けホルダ（２０）と、前記誘導方向（１６）に対してある角度で前記取り付けホルダ（２０）上に変位可能に保持されている支持要素（２４）であって、前記支持要素（２４）を介して前記基体（２１）が前記第１のガイドレール（８）の前記方向に誘導される、支持要素（２４）とを備えることを特徴とする
請求項８に記載の家具用建具（４）。
【請求項１０】
前記第１のガイドレール（８）上に配置されている少なくとも１つの制限要素（６２）が、前記誘導方向（１６）において前記第１の走行部（１２）の運動を制限するために設けられることを特徴とする
請求項８および９のいずれか一項に記載の家具用建具（４）。
【請求項１１】
前記制限要素（６２）は、前記第１の走行部（１２）の少なくとも一部（５４）を摩擦係合して受け入れるための、前記誘導方向（１６）において先細りになっている領域（７６）を備えることを特徴とする
請求項１０に記載の家具用建具（４）。
【請求項１２】
前記第１の走行部（１２）および／または前記第２の走行部（１４）は、前記ホルダ（２０，７８）上におけるそれらの位置が異なっている少なくとも２つ、好ましくは３つの固定点（３６、８７）において、前記基体（２１）に固定されていることを特徴とする
請求項８〜１１のいずれか一項に記載の家具用建具（４）。
【請求項１３】
スライドドアが変位可能に取り付けられている家具本体を備える１個の家具（２）であって、前記スライドドアは、請求項８〜１２のいずれか一項に記載の家具用建具（４）によって前記家具本体上に保持されている
家具（２）。
【発明の詳細な説明】
【技術分野】
【０００１】
本発明は、ガイドレールを介して誘導方向において家具部品を誘導するための走行部、走行部を有する家具用建具、および家具用建具を有する１個の家具に関する。
【背景技術】
【０００２】
下側にバーが形成されているスライドパーティション壁の形態の家具部品が、特許文献１から既知である。  
フックがバーに隣接して配置されており、このフックが、弾性的に取り付けられているガイド要素においてスライド溝と係合する。  
ガイド要素が弾性的に保持している結果として、フックとスライド溝との間の係合は、ガイド要素を持ち上げることによって解放することができる。
【０００３】
１個の家具の２つのガイドレール内の２つの走行部を介して誘導されるスライドドアが特許文献２から既知である。  
２つの走行部のうちの第１の走行部は家具部品に弾性的に取り付けられており、一方で、第２の走行部は、その位置において家具部品に対して隣接して取り付けられている。  
第２の走行部がその位置に関して家具部品に対する関係において設置されている場合、第１の走行部は、その弾性的保持の結果として、家具部品に対するその位置に関して自動的に調整する。
【０００４】
ガイドレール上の走行部を介して誘導される、スライドドアの形態の家具部品が、特許文献３から既知である。  
走行部は家具部品に弾性的に取り付けられている。  
バネが、家具部品による走行部に対して作用する負荷に対して作用し、たとえ負荷が不十分であったとしても、走行部をガイドレールに対して確実に圧迫する。  
したがって、走行部がガイドレールから脱線することが効果的に防止される。
【先行技術文献】
【特許文献】
【０００５】
【特許文献１】独国特許出願公開第４３３０１５２号明細書
【特許文献２】独国実用新案第２０２１６４８１号明細書
【特許文献３】米国特許第５８４５３６３号明細書
【発明の概要】
【発明が解決しようとする課題】
【０００６】
本発明の目的は、既知の家具または家具部品を改善し、取り付けを単純化することである。
【課題を解決するための手段】
【０００７】
この目的は、独立請求項の特徴によって達成される。  
好ましい実施形態は、従属請求項の主題である。
【０００８】
本発明の一態様によれば、ガイドレールを介して誘導方向に家具部品を誘導するための走行部は、誘導されるべき家具部品に堅固に接続することができるホルダと、誘導位置と取り付け位置との間で可動なように、誘導方向に対してある角度でホルダ上に保持されるとともに、ガイドレールに沿って誘導位置において誘導されるロックバーとを備える。  
家具部品上の走行部は、ガイドレールによる家具部品の確実な誘導を保証するものである。
【０００９】
それぞれのガイドレール内に挿入する前に、ホルダはまた、最初に、他の走行部とともにその家具部品に接合して固定され得る。  
他の走行部がそのガイドレール内に挿入されると、示されている走行部のロックバーがその取り付け位置へと押し込まれ得、取り付け位置で、スライドドアを旋回させ、次いで、ロックバーをガイドレール上の溝の中に挿入することが可能である。  
予め取り付けられたロックバーが、家具部品の取り付け中に施工者が触れることによって見出され得、これが、取り付け中に施工者の視界の中に配置されていなくてもよい理由である。
【００１０】
示されている走行部の範囲内で、誘導方向に対してある角度だけ、好ましくは直角にずれていることによって、任意に湾曲して前進する部分、たとえば、直線的にまたは円弧状に湾曲して前進する部分があり得る。
【００１１】
走行部は、復元要素を介してロックバーが誘導位置においてホルダに対して予め張力を加えられる該復元要素を備える。  
誘導位置はこのように、ロックバーの標準位置として予め決定される。  
したがって、ロックバーは、施工者によって取り付け中に短い間だけでその誘導位置から取り付け位置に移動されなければならず、取り付け後、すなわち、施工者によって解放された後は、ロック位置へと自動的に移動する。
【００１２】
走行部は誘導位置におけるホルダに対するロックバーの相対運動を阻止するブロック要素をさらに備え、ブロック要素が、誘導位置における相対運動を阻止する位置と、相対運動の阻止状態を開放する位置とに回動可能な回転ハンドルを備え、ブロック要素によって、ロックバーが誘導位置からずれることが阻止され得る。  
したがって、不注意で外れることが防止され、復元要素の機能不全の場合に、ロックバーが誘導位置から取り付け位置に動くことも防止される。
【００１３】
ブロック要素は主に、任意の接続原理、たとえば、摩擦ロック接続または材料接着接続に基づいて作動する。  
ブロック要素は、特に好ましくは、ロックバー上の第１のポジティブロック要素と、第１のポジティブロック要素に対して相補的に配置されているホルダ上の第２のポジティブロック要素とを備え、これらのポジティブロック要素は、ポジティブロック嵌合によってロックバーがロック位置に対してずれるのを阻止するように形成されている。  
ホルダ上に配置されているポジティブロック要素は好ましくは、さらにより良好なポジティブロック嵌合を保証するように特別な幾何形状を有して形成される。  
ポジティブロック嵌合は、いつでも開かれ、再び閉じられることができ、その結果として、家具部品は、たとえば、補修が必要である場合に、ガイドレールから簡単に取り外すことができる。
【００１４】
示されている走行部の好ましい実施形態において、第１のポジティブロック要素および／または第２のポジティブロック要素は、ロックバーの変位の方向に対してある角度を付けて、好ましくは直角に、可動なように取り付けられ、それによって、ポジティブロック嵌合を任意に開くことおよび閉じることが、特に単純に実施される。
【００１５】
示されている走行部の一実施形態において、第１のポジティブロック要素および第２のポジティブロック要素は、誘導方向、およびロック位置の変位方向の両方において作用する嵌合形状に形成された。  
したがって、ブロック要素は、ロック位置に対してロックバーの運動に反作用するだけでなく、ブロック要素自体の運動にも反作用する。  
このブロック要素の運動は、境界上でスライドドアの形態の家具部品の衝突中の上述した振動などの、ブロック要素に対する誘導方向内の力によって引き起こされ得る。  
上述したようにブロック要素の運動が防止されることによって、ロックバーの解放が効果的に防止される。
【００１６】
示されている走行部のまた別の実施形態において、第１のポジティブロック要素および第２のポジティブロック要素は、ラッチ要素として構成される。  
したがって、ブロック要素は工具を必要とすることなく作動することができる。
【００１７】
追加の実施形態において、示されている走行部は、ガイドレールとの接触領域においてロックバーの変位の方向にロックバーを誘導するためのガイド要素を備える。
【００１８】
本発明のさらなる態様によれば、特にスライドドアのための家具用建具が提供され、第１のガイドレールと第２のガイドレールとの間で基体が誘導され、基体に接続されている第１の走行部が、第１のガイドレール上で基体を誘導するために設けられ、第１の走行部から離間されるとともに、基体に固定されている第２の走行部が、第２のガイドレール上で基体を誘導するために設けられる。
【００１９】
さらなる実施形態において、示されている家具部品は、第１の走行部の運動を誘導方向に制限するために第１のガイドレール上に配置されている制限要素を備え、したがって、家具部品がガイドレールによる誘導から離れることが不可能であることが保証される。  
制限要素は、誘導方向における振動を低減するために、少なくとも部分的に変形可能であるように、好ましくは弾性的に変形可能であるように構成され得る。
【００２０】
本発明のさらなる態様によれば、１個の家具は、本発明による家具用建具によって変位可能に取り付けられる可動家具部品を備える。
【００２１】
本発明の上述の特性、特徴および利点を、実施形態の以下の説明に関連して下記により詳細に説明する。
【図面の簡単な説明】
【００２２】
【図１】スライドドアを有する１個の家具の斜視図である。
【図２】第１の走行部を有する図１のスライドドアの部分斜視図である。
【図３】図２の第１の走行部の分解図である。
【図４】図２の第１の走行部の部分斜視図である。
【図５】制限要素の斜視図である。
【図６】第２の走行部を有する図１のスライドドアのさらなる部分斜視図である。
【図７】図６の第２の走行部の分解図である。
【図８】図６の第２の走行部を配置することができる代替的なスライドドアの斜視図である。
【図９】図６の第２の走行部内のブロック要素の部分斜視図である。
【図１０】図９のブロック要素の一部の部分斜視図である。
【発明を実施するための形態】
【００２３】
図１は、可動家具部品としてのスライドドア４を有する１個の家具２の斜視図を示す。  
家具２はキャビネットとして構成されているが、任意の他の種類の家具として構成されてもよい。  
家具２は、正面に対して開いている家具本体６を備える。  
下部ガイドレール８が、家具本体６の下側で正面開口の領域に配置されており、一方で、上部ガイドレール１０が、家具２の上側に配置されている。  
図２に示す少なくとも１つの下部走行部１２を介して、これら２つのガイドレール８、１０間で、誘導方向１６において誘導されるようにスライドドア４が取り付けられており、上部走行部１４は図６に示されている。
【００２４】
図２は、下部走行部１２を有する図１のスライドドア４の部分斜視図を示す。  
下部ガイドレール８は、ネジ１８によって家具本体６に固定されている。
【００２５】
下部走行部１２は、ネジ１８によってスライドドア４のドア本体２１に固定されている取り付けホルダ２０を備える。  
支持要素２４が、誘導方向１６に対して直角の変位方向２２において取り付けホルダ２０上に変位可能に保持されており、その一端において、下部ローラ２６が回転可能に取り付けられており、このローラは下部ガイドレール８上に配置される。  
スライドドア４が誘導方向１６に動かされると、下部ローラ２６は下部ガイドレール８の上で回転する。
【００２６】
支持要素２４は、取り付けホルダ２０に対して高さ調整可能であり、図３に示すように、この目的のために調整ネジ２８が取り付けホルダ２０内の調整開口３０内にねじ込まれる。
【００２７】
取り付けホルダ２０は、各々がベースプレート３４上に貫通開口を有する３つのピン３６を備え、これを通じて図２に示すネジ１８を挿入することができる。  
ピン３６は、取り付けホルダ２０に対して垂直の変位方向２２において支持要素２４を変位可能に取り付けるために、支持要素２４上のスロット４４内に係合する。
【００２８】
変位方向２２において見たときに取り付けホルダ２０の上端において、保持要素３８が形成され、これを通じて調整ネジ２８がねじ込まれ得る。
【００２９】
支持要素２４は本実施形態において板金部品４０から形成されており、その境界領域は、部分的に隆起部４２によって強化されている。  
スロット４４は板金部品４０内に形成される。  
２２の方向において見たときの板金部品４０の上端にカウンタベアリング要素４６が形成されており、取り付けホルダ２０と支持要素２４との間の相対位置を設定するために、その上に調整ネジ２８が載置される。  
板金部品４０内に開口４８がさらに形成されており、下部ローラ２６を取り付けるために、シャフト５０がその中に挿入される。  
下部ローラ２６は直径を有する。
【００３０】
ガイドプレート５４は最終的に、変位方向２２において見たときに支持要素２４の下側に設けられ、その上に保護キャップ５６が挿入される。
【００３１】
ここで、下部ガイドレール８上の図２の第１の走行部１２の部分斜視図を示す図４を参照する。
【００３２】
下部ガイドレール８は、レールの内側空間６０に向かって開いているガイドスロット５８を備える。  
下部ガイドレール８は、レールの内側空間６０をよりよく示す目的で、図４においては部分的に露出するように示されている。  
誘導方向１６において見たとき、ガイドレール８の端部において、レールの内側空間６０は、第１の走行部１２の制限停止部を形成する制限要素６２によってシールされている。
【００３３】
より詳細には示さないように保護キャップ５６によって被覆されている支持要素２４のガイドプレート５４は、ガイドスロット５８によってレールの内部空間６０に係合し、その中で滑り軸受けとして誘導される。  
下部ローラ２６の外周上に形成されている環状突起部６４が、ガイドスロット５８に挿入され、その中で誘導される。
【００３４】
図５に示す制限要素６２は、固定区画６６および停止区画６８を備える。  
制限要素６２はネジ７０によってレールの内部空間６０内で固定区画６６上に固定される。  
停止区画６８は、弾性区画７２を介して固定区画６６の下側範囲に弾性的に取り付けられている。
【００３５】
停止区画６８は、誘導方向１６に延伸するとともに、その中に、保護キャップ５６によって被覆されているガイドプレート５４が収容される受け入れチャネル７４を備える。  
上記受け入れチャネル７４は、保護キャップ５６によって被覆されているガイドプレート５４を閉じた位置でラッチ留めするために、誘導方向１６に対して横断方向のテーパ７６を備える。
【００３６】
図６は、家具本体６に対して固定して配置されている上部ガイドレール１０を示す。  
上部ガイドレール１０は、家具本体６に対する固定のためのネジ１８のための開口７７を備える。
【００３７】
上部走行部１４は、３つのネジ１８によってスライドドア４のドア本体２１に固定されているホルダ７８を備える。  
ロックバー８０が、上部走行部１４のホルダ７８上で垂直変位方向２２において変位可能に保持されており、上部ガイドレール１０上に配置されている上部ローラ８２が上記ロックバー８０の一端に回転可能に取り付けられており、それによって、上部ローラ８２は、スライドドア４が誘導方向１６に動くときに上部ガイドレール１０の上で回転する。
【００３８】
上部ガイドレール１０との上部ローラ８２の接触を確立し維持するために、本実施形態において、上部走行部１４のロックバー８０と上部走行部１４のホルダ７８との間の相対運動を阻止することができるブロック要素８４が設けられる。  
上部走行部１４のロックバー８０は、上部ローラ８２が上部ガイドレール１０と接触するときまで、変位方向２２に変位され得る。  
この状態において、上部走行部１４のロックバー８０と上部走行部１４のホルダ７８との間の相対運動を、ブロック要素８４によって阻止することができる。
【００３９】
ここで、図６の第２の走行部１４の分解図を示す、図７を参照する。
【００４０】
上部走行部１４のホルダ７８は、ベースプレート８５上に、各々が貫通開口を有する３つのピン８７を備え、これを通じてネジ１８を挿入することができる。  
ピン８７の先端はドア本体２１上に配置することができ、それによって、ピン８７は、ベースプレート８５とドア本体２１との間に間隙を画定する。
【００４１】
上部走行部１４のロックバー８０は、下部走行部１２の支持要素２４と同様に、板金部品８９から形成され、その境界領域は、ここでも部分的に突起部９１によって強化される。  
下部走行部１２の支持要素２４と同様に、スロット９３が上部走行部１４の板金部品８９内に形成され、このように上部走行部１４のホルダ７８に対して変位方向２２において上部走行部１４のロックバー８０を変位可能に取り付けるために、上部走行部１４のホルダ７８のピン８７がスロット９３の中に挿入される。
【００４２】
下部走行部１２の板金部品４０と同様に、上部走行部１４の板金部品８９によって上部ローラ８２を保持するために開口９５が設けられ、上部ローラ８２を保持するためにシャフト５０がその中に挿入される。
【００４３】
変位方向２２において見たときに、本実施形態において、下部走行部１２の板金部品４０と同様に、上部走行部１４の板金部品８９の上側にガイドプレート９７が形成され、このガイドプレートは、ガイドスロット５８内で上部ガイドレール１０上に挿入され得る。  
図４に示すような下部ガイドレール８の特徴が、代替的にまたは付加的に、上部ガイドレール１０に移されてもよい。
【００４４】
上部走行部１４のホルダ７８上のブロック要素８４は、ホルダ７８のピボット軸受け８８上で、図７に従って回転可能に取り付けられる。  
ピン９４をピボット軸受け８８内に挿入することを可能にし、ブロック要素８４の反対側のピン９４をホルダ７８上のピボット軸受けに挿入することも可能にするために、一方の側のピボット軸受け８８にバネ要素９２が配置される。  
さらに、ブロック要素８４は、ブロック要素８４が回転のために回転ハンドル９６の上に保持され得る該回転ハンドル９６を備える。  
最後に、ブロック要素８４は、上部走行部１４のロックバー８０が、上部走行部１４のホルダ７８に対する関係において、変位方向２２に対して動くことを防止するために、板金部品８９上のリブ１００と係合することができるリブ形状係合要素９８を備える。  
リブ１００は好ましくは、図９ｄに特に示すピッチ角１２８を有して形成される。  
したがって、回転ハンドル９６の閉位置への旋回中に締め付けトルクが連続的に増大し、完全に旋回した後にリブ１００と係合要素９８との間で最大のポジティブロック嵌合が達成されることが保証される。  
さらに、リブ１００および係合要素９８は、特別な鋸歯形状を有し、これは、噛み合っている間互いに係合し、過剰な負荷の下で特に強い力を吸収することができる。
【００４５】
このポジティブロック嵌合を機械的に支持するために、変位方向２２において回転ハンドル９６の前に、突起１０１をロックバー８０上に形成することができ、この突起１０１は、ロックバー８０の、ホルダ７８に対する関係における変位方向２２に対する上述の運動がさらに防止されるように、ポジティブロック嵌合が閉じられるブロック要素８４の位置において制限停止部として回転ハンドル９６上に配置することができる。  
同時に、突起１０１は、ホルダ７８の変位中にロックバー８０の高さ留めの機能を想定し、ブロック要素８４が可能性のある破損の間に故障する場合の緊急要素としての機能を想定する。
【００４６】
上部ローラ８２の上部ガイドレール１０に対する圧迫を支持する目的で、上部走行部１４は、変位方向２２に対して予め張力を加えられるとともに、フラットコイルバネとして形成されるバネ１０２をさらに備える。  
バネ１０２は、ガイドレール１０に対する取り付けの間に、ローラ８２を有する板金部品８９に予め張力を加えるために、家具用建具のその側にあるそれぞれのバネマウント１０４に掛けることができ、それぞれのカウンタベアリング１０６内に取り付けることができる。  
上部走行部１４のロックバー８０は、バネ１０２の予め張力を加える方向に対してハンドル区画１０８の上で動かすことができる。
【００４７】
代替的なスライドドア４の斜視図を示す図８を参照する。  
代替的なスライドドア４は、プレート形状木質材料の代わりに、充填要素を有するアルミニウムフレームを備え、その上に第２の走行部１４が取り付けられる。
【００４８】
ドア本体２１は、ガラスから作製されるもののような充填要素が挿入される外部フレームを備える。  
ドア本体２１の隅において、コーナコネクタ１１２がフレームバー１１４内に挿入される。  
コーナコネクタ１１２とフレームバー１１４との間の固定は、ネジ１８をねじ込むことができる受け入れ孔１１６によって生成され得る。
【００４９】
本実施形態においてフレームバー１１４のうちの１つの中に固定孔１１８が形成され、この固定孔を介して、ガイド部品１２０がさらなるネジ１８によって上記フレームバー１１４上に固定され得る。  
上部走行部１４のロックバー８０は、上部走行部１４のロックバー８０の板金部品８９上のガイド突起１２３を介してガイド部品１２０とフレームバー１１４との間のガイド間隙（図示せず）において誘導され得る。
【００５０】
図６の上部走行部１４上のブロック要素８４の部分図が図９ａ〜図９ｄに示されており、これらは、スライドドア９の家具本体６への設置を示す。
【００５１】
設置の前に下部走行部１２および上部走行部１４が図２および図６に示すように、ドア本体２１の下側および上側に固定される。
【００５２】
ドア本体２１に固定されている下部走行部１２は、その後、そのガイドプレート５４によって下部ガイドレール８のガイドスロット５８内に挿入することができ、それによって、スライドドア４は、下部ガイドレール８内で誘導されるように動かされ得る。
【００５３】
ここで、ブロック要素８４は、（図９ａに示すように）回転ハンドル９６によって上部走行部１４上で開くことができ、ブロック要素のその側の係合要素９８とロックバー８０上に配置されているリブ１００との間のポジティブロック嵌合を解放することができる。
【００５４】
図９ａに示す位置において、上部走行部１４のロックバー８０は、上部走行部１４のガイドプレート９７の上端が、変位方向２２において見たときに上部ガイドレール１０の下端よりも高いところにある、上側位置にある。  
結果として、ガイドプレート９７は、上部ガイドレール１０のガイドスロット５８内に挿入することができない。
【００５５】
しかしながら、下記において取り付け位置と称する、図９ｂに示すような、上部走行部１４のホルダ７８に対する関係における上部走行部１４のロックバー８０の位置においては、これが可能である。  
取り付け位置において、ロックバー８０はバネ１０２の力に対して下向きに動かされており、それによって、ロックバー８０と板金部品８９との間の距離１２４はより大きい距離１２６に変化している。  
取り付け位置において、上部走行部１４のガイドプレート９７はここでは、変位方向２２において見たときに上部ガイドレール１０のガイドスロット５８の下に位置付けられ、したがって、変位方向２２において見たときに、スライドドア４を下部ガイドレール８を中心として旋回させることによって、上部ガイドレール１０の下に配置することができる。  
ロックバー８０は、たとえば、ハンドル区画１０８を引くことによって、この取り付け位置まで引くことができる。
【００５６】
上部走行部１４のガイドプレート９７が上部ガイドレール１０のガイドスロット５８の下に配置されると、上部走行部１４のロックバー８０は、変位方向２２においてバネ１０２によって押され得、したがって、上部走行部１４のガイドプレート９７が上部ガイドレール１０のガイドスロット５８内に導入され得る。  
結果として、スライドドアが、誘導方向１６に対してある角度で見られるようにガイドレール８、１０内でロックされ、もはや上記レールから脱落し得ない。
【００５７】
ブロック要素８４はその後、回転ハンドル９６が突起１０１に周方向で当接するまで閉じることができる。  
結果として、係合要素９８とロックバー８０上に配置されたリブ１００との間のポジティブロック嵌合が部分的に閉じられる。したがって、ロックバー８０がロック位置に固定され得る。
【００５８】
図１０において、係合要素９８およびリブ１００が詳細に示されており、これらはブロック要素８４の回転中に係合し、したがって、板金部品４０がロックバー８０に対して動くのが防止される。
【００５９】
調整ネジ２８が、スライドドア４の高さを設定するのに特に有利に使用され得る。  
最初に、回転ハンドル９６を旋回させることによって、上部走行部１４上でブロック要素８４が解放される。  
その後、下部走行部１２上の調整ネジ２８によって、スライドドア４の所望の高さ調整が実施され得る。  
同時に、ブロック要素８４が再びロック位置に動かされる前に、上部走行部１４がそれ自体を自動的に調整する。
【符号の説明】
【００６０】
２  家具
４  スライドドア
６  家具本体
８  ガイドレール
１０  ガイドレール
１２  走行部
１４  走行部
１６  誘導方向
１８  ネジ
２０  取り付けホルダ
２１  ドア本体
２２  変位方向
２４  支持要素
２６  ローラ
２８  調整ネジ
３０  調整開口
３４  ベースプレート
３６  ピン
３８  保持要素
４０  板金部品
４２  隆起部
４４  スロット
４６  カウンタベアリング要素
４８  開口
５０  軸
５４  ガイドプレート
５６  保護キャップ
５８  ガイドスロット
６０  レールの内部空間
６２  制限要素
６４  突起部
６６  固定区画
６８  停止区画
７０  ネジ
７２  弾性区画
７４  受け入れチャネル
７６  テーパ
７７  開口
７８  ホルダ
８０  ロックバー
８２  ローラ
８４  ブロック要素
８５  ベースプレート
８７  ピン
８８  ピボット軸受け
８９  板金部品
９１  隆起部
９２  バネ要素
９３  スロット
９４  ピン
９５  開口
９６  回転ハンドル
９７  ガイドプレート
９８  係合要素
１００  リブ
１０１  突起
１０２  バネ
１０４  バネマウント
１０６  カウンタベアリング
１０８  ハンドル区画
１１２  コーナコネクタ
１１４  フレームバー
１１６  受け入れ孔
１１８  固定孔
１２０  ガイド部品
１２３  ガイド突起部
１２４  距離（ロック位置）
１２６  距離（取り付け位置）
１２８  ピッチ角
【図１】
0006456845.tif 000002
【図２】
0006456845.tif 000003
【図３】
0006456845.tif 000004
【図４】
0006456845.tif 000005
【図５】
0006456845.tif 000006
【図６】
0006456845.tif 000007
【図７】
0006456845.tif 000008
【図８】
0006456845.tif 000009
【図９】
0006456845.tif 000010
【図１０】
0006456845.tif 000011